(57)【要約】      （修正有）【課題】支持強度が優れ、使用、着用、収納が便利な形状記憶スポンジトラベルネックピローを提供する。【解決手段】枕本体０４と、ブラケット本体とを含む折り畳み可能な小型軽量の形状記憶スポンジトラベルネックピローであって、枕本体内にはブラケット本体を収容するキャビティが設けられ、ブラケット本体は弾性ブラケット０１及び二つの支持ブラケット０２を含み、二つの支持ブラケットはそれぞれ弾性ブラケットの両端に回転可能に固定され、弾性ブラケットはＣ型またはＵ型である。【選択図】図１
0003229365.tif 000002
【実用新案登録請求の範囲】
【請求項１】
枕本体と、ブラケット本体とを含む折り畳み可能な小型軽量の形状記憶スポンジトラベルネックピローであって、
前記枕本体内には前記ブラケット本体を収容するキャビティが設けられ、
前記ブラケット本体は弾性ブラケット及び二つの支持ブラケットを含み、二つの前記支持ブラケットはそれぞれ前記弾性ブラケットの両端に回転可能に固定され、前記弾性ブラケットはＣ型またはＵ型である折り畳み可能な小型軽量の形状記憶スポンジトラベルネックピロー。
【請求項２】
前記支持ブラケットは内側と外側を含み、前記内側は前記外側へ凹溝になるように凹むことを特徴とする請求項１に記載の折り畳み可能な小型軽量の形状記憶スポンジトラベルネックピロー。
【請求項３】
前記支持ブラケットにはいくつかの穴が設けられていることを特徴とする請求項２に記載の折り畳み可能な小型軽量の形状記憶スポンジトラベルネックピロー。
【請求項４】
前記支持ブラケットと前記弾性ブラケットは、ルーズリーフを介して接続されることを特徴とする請求項３に記載の折り畳み可能な小型軽量の形状記憶スポンジトラベルネックピロー。
【請求項５】
前記支持ブラケットの外側には取付部が設けられ、前記弾性ブラケットの両端には取付孔が設けられ、前記ルーズリーフは折り畳み部と固定部を含み、前記折り畳み部の一端と前記固定部の一端は回転できるように固定され、前記折り畳み部の他端と前記取付部は嵌入するように固定され、前記固定部の他端と前記取付孔はリベットを介して固定されることを特徴とする請求項４に記載の折り畳み可能な小型軽量の形状記憶スポンジトラベルネックピロー。
【請求項６】
前記キャビティは第１キャビティと第２キャビティを含み、
前記第１キャビティと前記第２キャビティは互いに接続され、
前記第１キャビティは前記弾性ブラケットを収容することに用い、
前記第２キャビティは前記支持ブラケットを収容することに用い、
ネックピローを使用し且つ前記支持ブラケットが開けられる際に、前記支持ブラケットの凹溝と前記第２キャビティが位置する枕本体の間に間隙があることを特徴とする請求項２〜５のいずれかに記載の折り畳み可能な小型軽量の形状記憶スポンジトラベルネックピロー。
【請求項７】
前記支持ブラケットは長円形または長方形であり、
長方形である際に、前記支持ブラケットの四隅が角丸であることを特徴とする請求項６に記載の折り畳み可能な小型軽量の形状記憶スポンジトラベルネックピロー。
【請求項８】
前記枕本体の材料がスポンジであることを特徴とする請求項７に記載の折り畳み可能な小型軽量の形状記憶スポンジトラベルネックピロー。
【請求項９】
前記ブラケット本体の材料がプラスチックであることを特徴とする請求項６〜８のいずれかに記載の折り畳み可能な小型軽量の形状記憶スポンジトラベルネックピロー。
【請求項１０】
前記枕本体の外に保護層がさらに設けられ、前記保護層の材料がリネン、綿布、ベルベットまたは合成弾性繊維であることを特徴とする請求項１〜５のいずれかに記載の折り畳み可能な小型軽量の形状記憶スポンジトラベルネックピロー。
【考案の詳細な説明】
【技術分野】
【０００１】
本考案は日用品に関し、特に、折り畳み可能な小型軽量の形状記憶スポンジトラベルネックピローに関する。
【背景技術】
【０００２】
出張や旅行により、人々は異なる場所へ長距離を移動することが多く、時々長期間交通機関を利用しなければならない。長時間同じ位置に座っていると、首に大きな圧力がかかり、乗客が不快を感じることもある。持ち運びが便利で、小型軽量で、使用が容易であるネックピローは、欠かせないものである。現在、市場で販売される一部のトラベルネックピローは、形状記憶スポンジ（ｍｅｍｏｒｙ  ｆｏａｍ）からなり、形状記憶スポンジの材質が柔らかいため、単一の形状記憶スポンジ材料でサポートしようとすると、大きいサイズと多めの形状記憶スポンジが必要になる。また、形状記憶スポンジ自身が柔らかくて変形が容易であるため、首に固定することが難しい。さらに、市販品は、以下の方法によりネックピローの両端を接続して固定する。  
【０００３】
１．引き紐およびバックルで固定する；
【０００４】
２．バックルで固定する；
【０００５】
３．マジックテープ(登録商標)で固定する；
【０００６】
４．ホックで固定する；
【０００７】
５．通常のボタンで固定する。
【０００８】
上記は、固定に異なるステップを必要とするため、使用、着用、取り外しの際に不便である。また、従来の形状記憶スポンジネックピローを収納する際に、形状記憶スポンジを圧縮しながら巻くため、（圧縮することで空気を排出し、細く変形させて収納ポケット内に収納する）、制御が複雑で時間がかかる。従来の形状記憶スポンジネックピローは、取り出して使用しようとすると、元の使用状態まで完全に回復するまで長い時間を所要する。
【考案の概要】
【考案が解決しようとする課題】
【０００９】
先行技術の欠点について、本考案が解決しようとする課題は、以下のようである。先行技術中に存在する、持ち運びが不便で、小型ではなく、軽量ではなく、支持力が良くなく、着用および取り外しが不便で、収納が非常に不便である課題を解決するネックピローを提供する。
【課題を解決するための手段】
【００１０】
上記の目的を果たすために、本考案は以下のような実施形態を提供する。枕本体と、ブラケット本体とを含む折り畳み可能な小型軽量の形状記憶スポンジトラベルネックピローであって、前記枕本体内には前記ブラケット本体を収容するキャビティが設けられ、前記ブラケット本体は弾性ブラケット及び二つの支持ブラケットを含み、二つの前記支持ブラケットはそれぞれ前記弾性ブラケットの両端に回転可能に固定され、前記弾性ブラケットはＣ型またはＵ型である。
【００１１】
本考案のさらなる改善点として、前記支持ブラケットは内側と外側を含み、前記内側は前記外側へ凹溝になるように凹む。
【００１２】
本考案のさらなる改善点として、前記支持ブラケットにはいくつかの穴が設けられている。
【００１３】
本考案のさらなる改善点として、前記支持ブラケットと前記弾性ブラケットは、ルーズリーフを介して接続される。
【００１４】
本考案のさらなる改善点として、前記支持ブラケットの外側には取付部が設けられ、前記弾性ブラケットの両端には取付孔が設けられ、前記ルーズリーフは折り畳み部と固定部を含み、前記折り畳み部の一端と前記固定部の一端は回転できるように固定され、前記折り畳み部の他端と前記取付部は嵌入するように固定され、前記固定部の他端と前記取付孔はリベットを介して固定される。
【００１５】
本考案のさらなる改善点として、前記キャビティは第１キャビティと第２キャビティを含み、前記第１キャビティと前記第２キャビティは互いに接続され、前記第１キャビティは前記弾性ブラケットを収容することに用い、前記第２キャビティは前記支持ブラケットを収容することに用い、ネックピローを使用し且つ前記支持ブラケットが開けられる際に、前記支持ブラケットの凹溝と前記第２キャビティが位置する枕本体の間に間隙がある
【００１６】
本考案のさらなる改善点として、前記支持ブラケットは長円形または長方形であり、長方形である場合に、前記支持ブラケットの四隅が角丸である。
【００１７】
本考案のさらなる改善点として、前記枕本体の材料がスポンジである。
【００１８】
本考案のさらなる改善点として、前記ブラケット本体の材料がプラスチックである。
【００１９】
本考案のさらなる改善点として、前記枕本体の外に保護層がさらに設けられ、前記保護層の材料はリネン、綿布、ベルベットまたは合成弾性繊維である。前記保護層は1層でも1層以上でもよく、枕本体を保護する作用を果たすことができれば、保護層層数は制限されない。保護層の材料は合成弾性繊維またはベルベット等から選ばれても良く、通常は柔らかくて丈夫な材料を保護層の材料として用いる。
【考案の効果】
【００２０】
本考案は、ブラケットを内置する設計を用い、枕に効果的な支持を提供し、使用、着用、取り外し及び収納が便利な効果を有する。より少ない形状記憶スポンジで製造および生産が可能であるため、ネックピローの小型化と軽量化が実現できる。
【図面の簡単な説明】
【００２１】
【図１】本考案が提供する構造を示す図である。
【図２】本考案が提供するブラケット本体の構造を示す図である。
【図３】本考案が提供する図１において、符号が０４の構造を示す図である。
【図４】本考案が提供する図１において、符号が０４の正面図である。
【図５】本考案が提供する左側面図である。
【図６】本考案が提供する着用した状態を示す図である。
【図７】本考案の展開した状態を示す図である。
【図８】本考案の折り畳んだ状態を示す図である。
【図９】本考案の収納した状態を示す図である。
【図１０】本考案が提供する人の首の活動範囲を示す図である。
【考案を実施するための形態】
【００２２】
以下、図面と具体的な実施形態を用いて、本考案を詳しく説明する。
【００２３】
図１に示すように、本考案は、枕本体および前記枕本体０４内に設置されるブラケット本体を含み、前記枕本体０４は前記ブラケット本体を完全に包み、前記ブラケット本体は主に支持と成形の作用を果たし、先行技術におけるネックピローの支持作用が良くないという課題を解決する。具体的には、前記ブラケット本体は、前記枕本体０４のキャビティ内に設置され、前記キャビティは、前記ブラケット本体を完全に包み、前記ブラケット本体は、弾性ブラケット０１と前記弾性ブラケット０１の両端とそれぞれ回転可能に接続される支持ブラケット０２とをさらに含む。支持ブラケット０２は、前記ブラケット本体の一端を軸中心に、ブラケット本体の内側に向いて折り畳み可能であり、ユーザーがネックピローを収納する際に、支持ブラケット０２を折り畳むだけで収納することができ、また、前記弾性ブラケット０１はＣ型またはＵ型である。
【００２４】
[実施例１]
上記の実施例に基づいて、本考案は折り畳み可能な小型軽量の形状記憶スポンジトラベルネックピローを提供する。本実施例と上述の相違点は、図１、２、５に示すように、前記支持ブラケットが内側と外側を含み、前記内側は前記外側へ凹溝２１になるように凹む。前記支持ブラケット０２には、いくつかの穴２２が設けられ、前記穴２２は通気の効果があり、ネックピローの収納及び及形状回復時に、ネックピロー内の空気の流れに有利であるだけではなく、枕本体０４と前記支持ブラケット０２との接触面および摩擦力を増加することにより、ネックピローの使用時において、人の下顎および首に対するネックピローの支持強度を増加させる。
【００２５】
さらに、前記支持ブラケット０２と前記弾性ブラケット０１は、ルーズリーフ０３を介して接続される。前記ルーズリーフ０３は、折り畳み部３１と固定部３２を含み、前記折り畳み部３１の一端と前記固定部３２の一端は回転できるように固定される。前記支持ブラケット０２の外側には取付部２３が設けられ、前記弾性ブラケット０１の両端には取付孔１１が設けられ、前記折り畳み部３１の他端と前記取付部２３は嵌入するように固定され、前記固定部３２の他端と前記取付孔１１はリベットを介して固定される。ここで、前記折り畳み部３１には、いくつかの凸起が設けられ、前記凸起は、前記支持ブラケット０２の左右、前後への変位の防止に用いられる。一方、前記キャビティは第１キャビティ４１と第２キャビティ４２を含み、前記第１キャビティ４１と前記第２キャビティ４２は互いに接続され、前記第１キャビティ４１は前記弾性ブラケット０１を収容することに用いられ、前記第２キャビティ４２は前記支持ブラケット０２を収容することに用いられ、ネックピローを使用し且つ前記支持ブラケット０２が開けられる際に、前記支持ブラケット０２の凹溝２１と前記第２キャビティ４２が位置する枕本体０４の間に間隙がある。前記支持ブラケット０２のエッジと前記枕本体０４が接触することで、前記支持ブラケット０２の凹溝２１の中間凹み部分と前記枕本体０４の間に間隙が形成され、前記支持ブラケット０２のエッジが前記弾性ブラケット０１の弾力と合わさって、効果的にブラケット本体と枕本体０４の間の接触位置を固定することにより、ネックピローがより効果的に弾力を使用して首の適切な位置に固定される。
【００２６】
[実施例２]
上記の実施例に基づいて、本考案は折り畳み可能な小型軽量の形状記憶スポンジトラベルネックピローを提供する。本実施例と上述の相違点は、図１、２、５、７に示すように、前記支持ブラケット０２は長円形または長方形であり、長方形であると、前記支持ブラケット０２の四隅が角丸である。勿論、五角形、六角形などの多角形でもよい。具体的には、前記ブラケット本体の材料がプラスチックである。現在の航空安全などを考慮すると、ブラケット本体の作成には、できるかがり金属部品の使用を減少し、プラスチックを使用するようにする。ここで、ネックピローの折り畳み回数を保証するために、前記ルーズリーフの材料は金属でも良い。前記枕本体０４の材料はスポンジであり、好ましくは、形状記憶スポンジを用いる。これにより、ネックピローが展開された後、素早く元の状態に戻ることができ、時間の節約が可能になる。
【００２７】
[実施例３]
上記の実施例に基づいて、本考案は折り畳み可能な小型軽量の形状記憶スポンジトラベルネックピローを提供する。本実施例と上述の相違点は、前記枕本体０４の外に保護層がさらに設けられ、前記保護層の材料がリネン、綿布、ベルベットまたは合成弾性繊維などであり、前記保護層の層数はユーザーが定義しても良い。
【００２８】
長い旅において、ほとんどの乗客は頚部で疲労感を感じる。首で頭部の重量を支えるため、ネックピローは欠かせないものであり、ユーザーの首の不快感を軽減させる。本ネックピローは、人間工学の研究に基づいて、人の頭および首のデータを参考にしている。医療用品と比較することにより、研究開発された。前記ネックピローの形状記憶スポンジの形状は、図１０および下記の表に示すように、人間工学を参考に首の周辺の長さに基づいて設計した（欧米の成人）。
【００２９】
【表１】
0003229365.tif 000003
【００３０】
【表２】
0003229365.tif 000004
【００３１】
【表３】
0003229365.tif 000005
【００３２】
【表４】
0003229365.tif 000006
【００３３】
上記のデータからわかるように、成人男性の首の周辺の長さは、通常は３５．５〜４１．９ｃｍであり、成人女性の首の周辺の長さは、通常は３４．５〜３９．７ｃｍであり、前記枕本体の形状を上記のデータに基づいて設計すると、ほとんどの成人男女の首の周辺の長さに適切であり、由于枕本体内側の径の設計が適切であるため、ユーザーの着用時の快適性を大幅に向上させた。
【００３４】
また、長い旅における座る姿勢、頭と首に対する研究に基づき、ネックピローの使用後のユーザーの気分を調べたところ、ユーザーが感じるの快適性と安全性も向上した。頸部円周および医療用頸部ブラケットのデータを使用することで、前記枕本体０４、すなわち形状記憶スポンジの形状および大きさを判断することができる。また、首の活動範囲パラメータに基づき、ブラケット本体の大きさ、形状および弾力などを参考にし、快適性を有しながら活動範囲が影響されないネックピローを設計することができる。
【００３５】
本考案は、数回のテスト、調整および改善を通して、形状記憶スポンジ材料の柔軟性および内置するブラケット本体の弾性を合わさってなるネックピローである。本ネックピローの大きさは、一般的な使用に適しており、使用時の快適性と安全性も向上させる。
【００３６】
図５〜９に示すように、前記ブラケット本体のＣ型またはＵ型の弾性ブラケットは十分な弾力を提供でき、ユーザーがネックピローを着用する際に、ネックピローを効果的に首に固定させる。着用および取り外しが便利且つ迅速になる。Ｃ型またはＵ型の弾性ブラケットの高さおよび弾力と、形状記憶スポンジの柔軟性とを合わさることで、ユーザーが該当するネックピローを着用する際、および、頭が後ろに傾いた際に、不快を感じなくなる。ユーザーは環境やニーズに応じて、ネックピローを自身で回転させ、快適な位置へ移動させる。ブラケット本体の支持ブラケット０２の大きさおよびその立体形状は、複数回の研究およびテストに基づいて、調整後に設計したものである。支持ブラケット０２の表面にいくつかの通気穴が設けられるが、前記通気穴はネックピローの収納および回復時のネックピロー内の空気の流動に有利であるだけではなく、形状記憶スポンジと支持ブラケット０２の接触面および摩擦力も増加させるため、ネックピローの使用時における下顎および首に対する支持強度を増加させる。
【００３７】
支持ブラケット０２のエッジと形状記憶スポンジが接触し、支持ブラケット０２の中間凹み部分、すなわち、凹溝２１に間隙を形成される。エッジが弾性ブラケット０１の弾力と合わさることで、ブラケットを形状記憶スポンジとの接触位置に効果的に固定させ、ネックピローがより効果的に弾力を使用し、首の適切な位置に固定される。
【００３８】
また、従来の形状記憶スポンジネックピローの収納時に、形状記憶スポンジを圧縮しながら巻くため（圧縮することで空気を排出し、細く変形させて収納ポケット内に収納する）、制御が複雑で時間がかかる。従来の形状記憶スポンジネックピローは、取り出して使用しようとすると、元の使用状態まで完全に回復するまで長い時間を所要する。しかし、本ネックピロー内の支持ブラケット０２の中間凹み部分と形状記憶スポンジに間隙が形成されるため、支持ブラケット０２が内方向へ折り畳まれる際に、形状記憶スポンジは圧縮により変形され、間隙内に充填されるが、充填された形状記憶スポンジは十分な空気残量があり、収納後の使用する際において、形状記憶スポンジが使用状態まで回復する時間が大幅に縮小される。
【００３９】
内置したブラケットが余分の弾力および支持強度を提供するため、従来の形状記憶スポンジネックピローと比較すると、本ネックピローは製造において、使用する形状記憶スポンジ材料が少ない。そのため、小型で軽量でありながら、十分な支持強度および安定性を提供することができる。
【００４０】
内置したブラケットが余分の弾力を提供するため、本考案はネックピローを着用する際に、ネックピローを効果的にユーザーの首に固定することができる。引き紐およびバックル、マジックテープ(登録商標)、ホック、または通常のボタンなどで固定する必要がないため、着用および取り外しが非常に便利且つ迅速になる。
【００４１】
前記ネックピローのブラケット本体は、適切な支持力を提供して首、下顎および頭部の重量を支持するが、ユーザーの活動を阻害せず、ユーザーに不快を感じさせない。内置したブラケットが弾力を提供するため、前記ネックピローを効果的にユーザーの首に当接させ、快適性と十分な支持強度を提供し、安全性を高める。また、十分な弾力を提供するため、他の固定装置を使用せずにワンステップでネックピローを首に置いて固定することができる。取り外す際にも他の固定装置を解除しなくてもよいため、便利で迅速である。
【００４２】
本考案の有利な効果は、以下のようである。本考案は、以下のようなことを通じて、着用および取り外す際に便利迅速な形態を提供する。余分の引き紐およびバックル、マジックテープ(登録商標)、ホック、または通常のボタンなどを使用せずに固定でき、取り外す際にも他の固定装置を解除しなくてもよいため、便利迅速である。
１）ブラケットを内置する設計を用い、枕に効果的な支持を提供し、使用、着用、取り外し及び収納が便利な効果を有する。より少ない形状記憶スポンジで製造および生産が可能であるため、ネックピローの小型化と軽量化が実現できる；
２）弾性ブラケット０１と、弾性ブラケット０１の両端に設置され、Ｃ型またはＵ型である弾性ブラケット０１の中心に向けて内方向へ折り畳まれる支持ブラケット０２とを通じて、前記ネックピローの収納が迅速便利になる；
３）前記支持ブラケット０２の表面の通気穴は、ネックピローの収納および回復時の空気の流動に有利であるだけではなく、形状記憶スポンジと支持ブラケット０２の接触面を増加させ、ネックピローを使用する際に下顎に対する支持強度を増加させる；
４）前記支持ブラケット０２の凹溝部分のエッジは、Ｃ型またはＵ型である弾性ブラケット０１の弾力を用い、ブラケット本体と形状記憶スポンジの接触位置を効果的に固定し、より効果的に弾力を用いてネックピローを首の適切な位置に固定させる；
５）前記支持ブラケット０２の凹溝２１部分と形状記憶スポンジとの接触により間隙が形成され、前記間隙は、形状記憶スポンジが収納で圧縮される際に充填されることを許容する。また、収納から使用、着用まで、圧縮された形状記憶スポンジをより早く使用可能な状態まで回復させる；
６）収納で折り畳む際に、支持ブラケット０２を弾性ブラケット０１の中心まで内方向へ折り畳み、該当する活動範囲は、より早く適切にネックピローを折り畳んで収納するようにユーザーを誘導する。収納袋から取り出した際に、ネックピローは形状記憶スポンジが空気を吸いこむことにより、両側の支持ブラケット０２が自動的に飛び出され、使用可能な状態まで回復する；
７）前記弾性ブラケット０１は十分な弾力を提供し、ユーザーがネックピローを着用する際に、ネックピローを効果的に首に固定させる。 
【００４３】
上記の内容は具体的な好ましい実施形態を用いて、本考案に対して詳しく説明したものが、本考案の実施形態はこれらの説明に限らない。本考案は、当業者によって、本考案の範囲を逸脱しない範囲内での変更は可能であり、それらの変更は本考案の保護範囲内である。
【符号の説明】
【００４４】
０１  弾性ブラケット
１１  取付孔
０２  支持ブラケット
２１  凹溝
２２  穴
２３  取付部
０３  ルーズリーフ
３１  折り畳み部
３２  固定部
３３  リベット
０４  枕本体
４１  第１キャビティ
４５  第２キャビティ
０５  ポケット
【図１】
0003229365.tif 000007
【図２】
0003229365.tif 000008
【図３】
0003229365.tif 000009
【図４】
0003229365.tif 000010
【図５】
0003229365.tif 000011
【図６】
0003229365.tif 000012
【図７】
0003229365.tif 000013
【図８】
0003229365.tif 000014
【図９】
0003229365.tif 000015
【図１０】
0003229365.tif 000016